(57)【要約】【課題】雪の重みによって、軒樋や軒樋受けが変形・破損することを防ぐことのできる軒樋支持具を提供することである。さらには、軒樋に落ち葉や雪が入り込み、軒樋が詰まったり破損したりすることを防ぐことのできる軒樋支持具を提供することである。【解決手段】軒樋の上面に配される長方形状の剛性の高い網体で、網体の一方の長辺に家屋との結合部を有し、他方の長辺に、軒樋受け先端部及び／又は軒樋屋外側の縁との結合部を有する、軒樋支持具。剛性の高い網体で、軒樋や軒樋受けを上から吊るすことで、軒樋の上を網体が覆うかたちになり、雪の重みで、軒樋や軒樋受けが変形・破損することを防ぐことができるとともに、落ち葉や雪が軒樋に入り込むことを防ぐことができる。【選択図】図１
2019011623.tif 000002
【特許請求の範囲】
【請求項１】
軒樋の上面に配される長方形状の剛性の高い網体で、網体の一方の長辺に家屋との結合部を有し、他方の長辺に、軒樋受け先端部及び／又は軒樋屋外側の縁との結合部を有する、軒樋支持具。
【請求項２】
網体の一方の長辺と家屋との結合部が、一定の長さで結合する結合部である、請求項１の軒樋支持具。
【請求項３】
軒樋の上面に配される長方形状の剛性の高い網体の、網体の一方の長辺の縁を、屋根の軒と軒樋受け元部で挟んで固定し、他方の長辺は、軒樋受け先端部に接続する、軒樋の支持方法。
【発明の詳細な説明】
【技術分野】
【０００１】
本発明は、軒樋を家屋に取り付ける際に使用する軒樋支持具に関する。さらに詳しくは、積雪により軒樋が変形したり破損したりするのを防ぐことができる軒樋支持具に関する。
【背景技術】
【０００２】
家屋には、屋根面に降った雨水を受けるために、軒先に沿って軒樋が設置されることが多い。軒樋は、例えば、家屋に取り付けられた半月形に湾曲している軒樋受けで下から支えられるように固定されるが、降雪地域では、雪の重みにより、軒樋や軒樋受けが変形したり、破損したりすることがあり問題となっていた。
【０００３】
前記変形や破損がしにくくなる方法として、軒樋受けを設置する間隔を狭める方法があるが、設置する軒樋受けが増える上、施工コストも高くなる。また、軒樋の上面を金属製の網で覆い、この網に、軒樋吊り具を介して軒樋を取り付け、雪の重みで軒樋取付け具から軒樋が外れるのを防ごうとする方法が知られている（特許文献１）。しかし、この方法は、軒樋取付け具の補助的な役割をするにとどまる上に、構造全体が複雑という問題点があった。
【先行技術文献】
【特許文献】
【０００４】
【特許文献１】特開２００２−３８６６９号公報
【発明の概要】
【発明が解決しようとする課題】
【０００５】
本発明の目的は、雪の重みにより、軒樋や軒樋受けが変形したり破損したりすることを防ぐ、軒樋支持具を提供することである。本発明のさらなる目的は、軒樋への落ち葉や雪の侵入を防ぐ役割も兼ね備えた軒樋支持具を提供することである。
【課題を解決するための手段】
【０００６】
本発明者は、上記目的を達成するために種々検討の結果、軒樋の上面に剛性の高い網体を配し、この網体で、軒樋や軒樋受けを支持するとともに、屋根からずり落ちてくる雪を支えることで、軒樋や軒樋受けの変形・破損を防ぎ、さらに落ち葉や雪の侵入を防ぐことができることを見出し、本発明に到達した。すなわち本発明は以下の通りである。
【０００７】
１．軒樋の上面に配される長方形状の剛性の高い網体で、網体の一方の長辺に家屋との結合部を有し、他方の長辺に、軒樋受け先端部及び／又は軒樋屋外側の縁との結合部を有する、軒樋支持具。
２．網体の一方の長辺と家屋との結合部が、一定の長さで結合する結合部である、前記１の軒樋支持具。
３．軒樋の上面に配される長方形状の剛性の高い網体の、網体の一方の長辺の縁を、屋根の軒と軒樋受け元部で挟んで固定し、他方の長辺は、軒樋受け先端部に接続する、軒樋の支持方法。
【発明の効果】
【０００８】
本発明の軒樋支持具により、軒樋を設置すれば、剛性の高い網体が、軒樋や軒樋受けの上面を覆うかたちとなり、雪の重みによって、軒樋や軒樋受けが変形したり、破損したりを防ぐことができる。さらには、雪や落ち葉が軒樋の中に入るのを防ぐことができ、軒樋が詰まったり、破損したりを防ぐことができる。また、本発明の軒樋支持具は、構造が簡単なので、すでに設置されている軒樋に対して後から設置することができる。
【図面の簡単な説明】
【０００９】
【図１】本発明の軒樋支持具の1実施例を示した。
【図２】家屋に、軒樋支持具を設置したときの斜視図を示した。Ａ−Ａ´で切断すると図１になる。
【発明を実施するための形態】
【００１０】
以下に本発明を詳細に説明する。
図１、図２に本発明の１実施例を示した。本発明は、網体１で、軒樋２や軒樋受け３を吊るようにして支持するとともに、屋根からずり落ちてくる雪４を支える。特に雪は重いので、網体が雪の重みで曲がらないよう、網体の剛性は一定程度高い必要がある。雪の状態にもよるが、雪の重さは、１０ｃｍの積雪で、３０〜７０ｋｇ／ｍ２にもなるので、庇上に飛び出した構造に、好ましくは７０ｋｇ／ｍ２以上、より好ましくは１４０ｋｇ／ｍ２以上の圧力がかかっても曲がらない剛性をもつ網体を使用する。網体の素材は、特に制限されないが、剛性を維持でき、さらに屋根から落下することのないよう、腐食されにくい、寿命の長い素材が好ましい。腐食についていえば、網体に、屋根材と異なる金属を使用し、異種帰属による腐食、いわゆるもらいさびが生じやすいことも考えられ、この点からも腐食に強い素材を使うことが好ましい。丈夫で腐食されにくい素材として、例えば、ステンレスを使用することができる。
網体は、具体的に例を挙げれば、直径１．５ｍｍ、網目１０ｍｍのステンレス製の網で、波状の横線の凹凸に、直線の縦線を編み込んでいる網を使用することができる。
【００１１】
剛性の高い網体を使用すれば、網体と家屋との結合部に雪の重みがかかり、軒樋や軒樋受けに雪の重みがかかりにくく、軒樋や軒樋受けが変形したり破損したりを防ぐことができる。さらには、剛性の高い網体が、弓の弦のように、軒樋や軒樋受けの両縁を結びつける役割をはたして、軒樋や軒樋受けの変形・破損を防ぐことができる。
なお、本発明の軒樋支持具は、軒樋受けと併用してもよいし、単独で使用してもよい。
【００１２】
網体１は、落ち葉や雪が、樋受け３の中に入り込むのを防ぐ役割もはたすので、網目の大きさは、落ち葉を通さない大きさであるのが好ましい。網体には、典型的な網だけではなく、複数の穴の開いたパンチプレートや、グレーチングのようなものも含むし、例えば網体の上にパンチプレートを載せるなど、これらを組み合わせて使用してもよい。特に、パンチプレートを使用すれば、松の葉のように、細い葉が、軒樋に入り込むのを防ぐことができる。
【００１３】
網体１は、軒樋２の上では、平面状であるのが好ましく、平面状であれば、落ち葉や雪が上に載っても風で吹き飛ばされ、堆積しにくくなる。また、家屋側より屋外側が下になるよう、やや斜めに設置すると、さらに、落ち葉や雪が下に落ちやすくなり、堆積しにくくなる。
【００１４】
網体１の一方の長辺は、家屋との結合部を有するが、直接的に結合する場合だけでなく、例えば、軒樋受け３の家屋との接続部分を介して間接的に結合している場合も含まれる。直接的に結合すれば、軒樋２や軒樋受けには、雪の重みがかからず、間接的に結合している場合でも、軒樋屋外側の縁１０や軒樋受け先端部９には、雪の重みがかかりにくく、軒樋や軒樋受けの変形・破損を防ぐことができる。
さらに、家屋との結合部を、一定の長さにすれば、網体や雪の重量を、点でなく、線で支えることになり、より重さに強くなる。一定の長さとは、例えば、雪や落ち葉の積もりやすい場所の全長に渡って、網体の一方の長辺が、家屋と結合されていればよい。この場合も例えば、断面直角三角形の三角柱で、一定の長さに渡って、網体を支えるなど、間接的に家屋と結合していてもよい。
また、網体と家屋との結合は、釘などで結合される場合に限られず、例えば、網体の一方の長辺の縁５が、屋根の軒６と軒樋受け元部７で挟まれて固定されている場合も含まれる。ここで軒樋受け元部とは、軒樋受けの家屋側で、家屋と接続している部分周辺のことをいう。
【００１５】
網体１の他方の長辺８は、軒樋受け先端部９や軒樋屋外側の縁１０との結合部を有するが、軒樋受け先端部とは、軒樋受けの屋外側の先端周辺のことである。結合は、例えば網体の他方の長辺の縁を下側に折り曲げ、折まげた部分に軒樋受け先端部を引っ掛けるようにしてもよい。網体の長辺の縁を下側に折り曲げると、上からの力に対して網体の強度があがるという副次的効果も生じる。
【００１６】
また、本発明の軒樋支持具は、剛性の強い網体１を軒樋２上面にとりつけるという構成であり、すでに設置されている軒樋受けに対してとりつけることも可能である。
さらに軒樋には、太いつららでなく、細いつららを多数生じさせる効果があり、本発明により降雪地域でも軒樋が設置されれば、太いつららの落下による被害も少なくなる。
【００１７】
本発明の軒樋支持具は、例えば、網体１の一方の長辺５を屋根の軒６と軒樋受け元部７の間に挟み込むように差し込み、他方の長辺８の縁を、軒樋２や軒樋受け３に沿って下側に折り曲げ、折りまげた部分を、軒樋受けの先部９にひっかけ、ステンレスの針金で固定して、設置する。
【産業上の利用可能性】
【００１８】
本発明の軒樋支持具によれば、降雪地帯でも、屋根からずり落ちてくる雪による軒樋の変形・破損を防ぐことができ有用である。加えて、落ち葉による軒樋の変形・破損も防ぐことができる。
【符号の説明】
【００１９】
１  網体
２  軒樋
３  軒樋受け
４  雪
５  網体の一方の長辺
６  屋根の軒
７  軒樋受け元部
８  網体の他方の長辺
９  軒樋受け先端部
１０  軒樋屋外側の縁
【図１】
2019011623.tif 000003
【図２】
2019011623.tif 000004